(57)【要約】【課題】  インクジェット記録装置のメイン基板とキャリッジ基板とをケーブルで接続する接続構成により発生する、共振現象による放射ノイズを抑制する。【解決手段】  導電性の筐体と、筐体と接続されている記録装置の制御をするための制御基板と、  可動部にある可動部基板と、前記基板同士を接続するケーブルと、筐体と接続されている、可動部を支持する導電性の支持部材とを備えた、記録媒体に画像を記録するインクジェット記録装置において、  前記ケーブルの長さの４倍を１波長とする共振周波数において、前記可動部基板のグラウンドと前記支持部材とが対向する面の面積と、面の間の距離と、面の間に存在する誘電体の誘電率によって決まる容量の値を、前記共振周波数と前記容量の値によって決まる前記容量のインピーダンスが、前記ケーブルの特性インピーダンス以下となるように形成することを特徴とする、インクジェット記録装置。【選択図】  図１
2011126111.tif 000002
【特許請求の範囲】
【請求項１】
導電性の筐体と、筐体と接続されている記録装置の制御をするための制御基板と、可動部にある可動部基板と、前記基板同士を接続するケーブルと、筐体と接続されている、可動部を支持する導電性の支持部材とを備えた、記録媒体に画像を記録するインクジェット記録装置において、
前記ケーブルの長さの４倍を１波長とする共振周波数において、前記可動部基板のグラウンドと前記支持部材とが対向する面の面積と、面の間の距離と、面の間に存在する誘電体の誘電率によって決まる容量の値を、前記共振周波数と前記容量の値によって決まる前記容量のインピーダンスが、前記ケーブルの特性インピーダンス以下となるように形成することを特徴とする、インクジェット記録装置。
【請求項２】
前記対向する面の間に高誘電率材が配置されていることを特徴とする、請求項１に記載のインクジェット記録装置。
【発明の詳細な説明】
【技術分野】
【０００１】
本発明は、記録媒体上に画像を記録するインクジェット記録装置に関する。
【背景技術】
【０００２】
近年の電子機器の高速化、高性能化などに伴い、電子機器からの放射ノイズによる他の電子機器への影響が問題となっている。この放射ノイズによる他の電子機器への影響はＥＭＩ（Ｅｌｅｃｔｒｏ  Ｍａｇｎｅｔｉｃ  Ｉｎｔｅｒｆｅｒｅｎｃｅ）と呼ばれ、電子機器の誤動作を引き起こす。このため、放射ノイズに関しては問題となる周波数帯域を定め、電子機器からの放射量の規制を行っている。また、電子機器製造メーカはこの規制に適合するように製品を設計製造する必要があり、インクジェット記録装置に関してもその例外では無い。
【０００３】
インクジェット記録装置は、制御基板であるメイン基板から可動部基板であるキャリッジ基板へ信号伝送を行うと共に、キャリッジ基板を搭載しているキャリッジを可動させることで記録媒体に画像を記録している。
【０００４】
しかしながら、上記構成においては、メイン基板は筐体に接続されているものの、キャリッジ基板は可動しているため、筐体と固定接続することができない。そのため、上記構成は図４のようにモノポールアンテナとして等価的に置き換えることができる。このモノポールアンテナは、式（１）に示すように、長さＬの４倍を１波長とする周波数において、ピークを持つ共振を発生させるため、放射ノイズを悪化させることが問題となる。
【０００５】
【数１】
2011126111.tif 000003
【０００６】
（但し、ｆresonance：共振周波数［Ｈｚ］、ｃ：光速（３．０×１０８［ｍ／ｓ］）、Ｌ：モノポールアンテナの長さ［ｍ］）
従来、上記のような問題に対しては、キャリッジ基板と、可動部を支持する支持部材としてのキャリッジシャフトを金属部材で直接接触させて導通をとることで、電流の経路を作り、共振を低減させる方法がある（特許文献１）。このようにすることで、共振周波数は高い周波数帯へシフトし、かつ、放射ノイズの波源となる信号の周波数スペクトラムは、高い周波数になるほどその強度は低減するため、放射ノイズを低減させることが可能となる。
【先行技術文献】
【特許文献】
【０００７】
【特許文献１】特開平０６−３０１１２１号公報
【発明の概要】
【発明が解決しようとする課題】
【０００８】
しかしながら、前記の従来技術１では、キャリッジシャフトと金属部材を直接接触させてキャリッジを可動させるので、キャリッジシャフトや金属部材が削れてしまい、キャリッジシャフトや金属部材に潤滑油を塗布して物体間の摩擦を軽減する必要がある。そのため、キャリッジシャフトと金属部材の間の導通は保障し得るものではない。
【０００９】
さらに、キャリッジシャフトと金属部材を直接接触させてキャリッジを可動させるので、キャリッジが振動してしまい、印字する際のインクの吐出精度が悪くなってしまう。
【課題を解決するための手段】
【００１０】
上記目的を達成するため、本発明のインクジェット記録装置は、導電性の筐体と、筐体と接続されている記録装置の制御をするための制御基板と、可動部にある可動部基板と、前記基板同士を接続するケーブルと、筐体と接続されている、可動部を支持する導電性の支持部材とを備えた、記録媒体に画像を記録するインクジェット記録装置において、
前記ケーブルの長さの４倍を１波長とする共振周波数において、前記可動部基板のグラウンドと前記指示部材とが対向する面の面積と、面の間の距離と、面の間に存在する誘電体の誘電率によって決まる容量の値を、前記共振周波数と前記容量の値によって決まる前記容量のインピーダンスが、前記ケーブルの特性インピーダンス以下となるように形成することを特徴とする。
【発明の効果】
【００１１】
キャリッジシャフトとの導通を非接触で行うため、潤滑油によりキャリッジシャフトと金属部材の導通を保障できない場合においても、キャリッジ基板のグラウンドとキャリッジシャフトの導通を確実に確保することができる。
【００１２】
また、キャリッジの可動範囲に亘り容量が形成されているため、可動範囲の全ての箇所で共振現象による放射ノイズを低減することができる。
【００１３】
また、キャリッジシャフトとの導通を非接触で行うため、新たにキャリッジを振動させて、記録媒体に記録する際のインクの吐出精度を悪くさせることもない。
【００１４】
また、キャリッジシャフトとキャリッジ基板のグラウンドを容量結合で導通させるので、仮にミストが混入した場合においても、上記容量結合の箇所であれば問題とならない。
【００１５】
また、キャリッジシャフトとキャリッジ基板のグラウンドの対向する面の間に比誘電率の値が空気より大きい誘電体を挟むことによって、結合する容量は大きくなるので、放射ノイズの低減効果は、より大きなものとなる。
【図面の簡単な説明】
【００１６】
【図１】本発明の第１の実施の形態に係るインクジェット記録装置を示す斜視図である。
【図２】図１に示すキャリッジ基板の構成を具体的に示す図である。
【図３】本発明の第２の実施の形態に係るインクジェット記録装置を示す斜視図である。
【図４】ダイポールアンテナを示す模式図である。
【発明を実施するための形態】
【００１７】
以下、本発明の実施の形態を図面に基づいて詳細に説明する。
【００１８】
図１は本発明の第１の実施の形態に係るインクジェット記録装置を示す斜視図である。図１において、１はインクジェット記録装置のメイン基板、２はキャリッジ基板、３はメイン基板１とキャリッジ基板２を接続するケーブルである。ケーブル３はメイン基板１とコネクタ４により接続されており、キャリッジ基板２とはコネクタ５により接続されている。ケーブル３によりメイン基板１とキャリッジ基板２は電気信号を送受信する。６は筐体であり、グラウンド電位とほぼ同じ電位を有している。メイン基板１は筐体６にネジ留めされて固定保持されている。７はキャリッジシャフトであり、筐体６と電気的に接続されている。このような構成をとることにより、式（１）で表されるように、ケーブルの長さの４倍を１波長とする共振周波数に共振現象を発生させる。
【００１９】
図２は、キャリッジ基板２の構成を具体的に示す図である。キャリッジ基板２には部品９が実装されており、キャリッジシャフト７と最近接して対向する領域にグラウンド１０が配置され、キャリッジ基板２の面とキャリッジシャフト７の面とは対向して配置されている。
【００２０】
このような構造にすることにより、キャリッジ基板２の面とキャリッジシャフト７の面の間で式（２）で計算される容量Ｃが形成される。
【００２１】
【数２】
2011126111.tif 000004
【００２２】
（但し、Ｃ：容量［Ｆ］、
ε：キャリッジ基板とキャリッジシャフトで対向する面の間に存在する誘電体の誘電率
ε0：真空の誘電率（８．８５４×１０−１２［Ｆ／ｍ］）、
εr：キャリッジ基板とキャリッジシャフトで対向する面の間の誘電体の比誘電率、
Ｓ：キャリッジ基板とキャリッジシャフトで対向する面の面積［ｍ2］、
ｄ：キャリッジ基板とキャリッジシャフトで対向する面の間の距離［ｍ］）
また、共振周波数におけるこの容量ＣのインピーダンスＺｃは、式（３）で表される。
【００２３】
【数３】
2011126111.tif 000005
【００２４】
（但し、Ｚｃ：容量のインピーダンス［Ω］、Ｃ：容量［Ｆ］、ｆresonance：共振周波数  ［Ｈｚ］）
そして、式（３）で表される容量ＣのインピーダンスＺｃをケーブル３の特性インピーダンス以下となるように、キャリッジ基板２とキャリッジシャフト７の間に容量Ｃを形成する。このようにすることで、キャリッジ基板２のグラウンドとキャリッジシャフト７の間に形成している容量Ｃの方へ電流が流れ込み、導通を取ることができるので、共振現象による放射ノイズを低減させることが可能となる。
【００２５】
また、本実施の形態において、キャリッジシャフトの構造は、前述のものに限られるわけではない。例えば、キャリッジの振動を低減させインクの吐出精度を向上させるなどの理由により、キャリッジシャフトとキャリッジとの摩擦を低減したい場合には、キャリッジシャフトの断面をＤ型やΩ型とすることで、キャリッジの振動を低減することができる。
【００２６】
また、製造上の理由などにより、キャリッジシャフトの形を変えられない場合においては、同心円状などの導電性部材を、キャリッジシャフトを覆うように近接して配置し、導電性部材とキャリッジ基板のグラウンドを接続して構成するようにしても良い。なお、キャリッジシャフトを覆うようにして近接して配置させる同心円状などの導電性部材は、キャリッジケースの中に配置してあっても良い。さらに、導電性部材とキャリッジ基板のグラウンドとの接続部に関しては、弾性を持ったバネ状の導電性部材を接続部に入れることにより、圧力をもって接触させることができるため、より確実に接触をとれるようにすることもできる。
【００２７】
このように、キャリッジシャフトとの導通を非接触で行うため、潤滑油によりキャリッジシャフトと金属部材の導通を保障できない場合においても、キャリッジ基板のグラウンドとキャリッジシャフトの導通を確実に確保することができる。
【００２８】
また、キャリッジの可動範囲に亘り容量が形成されているため、可動範囲の全ての箇所で共振現象による放射ノイズを低減することができる。
【００２９】
また、キャリッジシャフトとの導通を非接触で行うため、新たにキャリッジを振動させて、記録媒体に記録する際のインクの吐出精度を悪くさせることもない。
【００３０】
また、キャリッジシャフトとキャリッジ基板のグラウンドで容量を形成し、導通させるので、仮にミストが混入した場合においても、上記容量結合の箇所であれば問題とならない。
【００３１】
［第２の実施の形態］
図３は本発明の第２の実施の形態に係るインクジェット記録装置を示す斜視図である。第２の実施の形態は、前述の第１の実施の形態のキャリッジ基板２の面とキャリッジシャフト７の面の間に高誘電率材料８を配置している。
【００３２】
第２の実施の形態に示すインクジェット記録装置によれば、キャリッジ基板２の面とキャリッジシャフト７の面の間の容量値が大きくなるため、放射ノイズの低減効果はより顕著なものとなる。
【００３３】
また、高誘電率材料８を面の間に配置することで、キャリッジ基板２の信号配線とキャリッジシャフトがショートすることを防げるため、面の間の距離をより一層近づけることが可能となり、容量を大きくすることができる。
【００３４】
また、高誘電率材料８は、キャリッジ基板２などを内部に配置するキャリッジケースを構成する一部分で形成しても構わない。
【００３５】
なお、図３において、図１と同じ部材には同じ符号を付し、その説明は省略する。
【符号の説明】
【００３６】
１  メイン基板
２  キャリッジ基板
３  ケーブル
４  コネクタ
５  コネクタ
６  筐体
７  キャリッジシャフト
８  高誘電率材料
９  部品
１０  グラウンド
【図１】
2011126111.tif 000006
【図２】
2011126111.tif 000007
【図３】
2011126111.tif 000008
【図４】
2011126111.tif 000009